(57)【要約】      （修正有）【課題】操作部を押したり引いたりする操作の際に加えられる加重が均一であるスイッチ装置を提供する。【解決手段】第１のスイッチ２１と、第２のスイッチ２２と、前記第１のスイッチ及び前記第２のスイッチの上に設けられたアクチュエータ部３１と前記アクチュエータ部の端部に設けられた操作部４０とを有するアクチュエータ３０と、前記アクチュエータ部の上面側に配置されて第１の突起部５２及び前記第１の突起部より前記操作部から離れて配置された第２の突起部５３とを有する上側筐体部５０を備え、前記操作部を引く際には、前記アクチュエータは前記第１の突起部の先端を支点にして傾倒して前記第１のスイッチを押下し、前記操作部を押す際には、前記アクチュエータは前記第２の突起部の先端を支点にして傾倒して前記第２のスイッチを押下する。【選択図】図１１
2020202084.tif 000002
【特許請求の範囲】
【請求項１】
上方から押下されることで動作する第１のスイッチと、
上方から押下されることで動作する第２のスイッチと、
前記第１のスイッチ及び前記第２のスイッチの上方であって、前記第１のスイッチ及び前記第２のスイッチの双方に跨るように少なくとも一辺が長く形成されるとともにそれぞれに接触するように配置された板状のアクチュエータ部と、前記アクチュエータ部の長手方向の端部に設けられた操作部と、を有するアクチュエータと、
前記アクチュエータ部の前記第１のスイッチ及び前記第２のスイッチと接触している面とは反対の面と先端が接触している第１の突起部及び第２の突起部と、
を有し、
前記第１の突起部は前記アクチュエータ部の長手方向において、前記第２の突起部より前記操作部の近くに配置され、
前記第１の突起部の先端及び前記第２の突起部の先端は、
前記操作部を引く操作をした際には、前記アクチュエータは、前記第１の突起部の先端と接触している部分を支点にして傾倒して、前記第１のスイッチを押下し、
前記操作部を押す操作をした際には、前記アクチュエータは、前記第２の突起部の先端と接触している部分を支点にして傾倒して、前記第２のスイッチを押下することを特徴とするスイッチ装置。
【請求項２】
前記操作部は、前記操作部を引く操作を受けつける第１の操作領域と、前記操作部を押す操作を受け付ける第２の操作領域と、を有することを特徴とする請求項１に記載のスイッチ装置。
【請求項３】
前記第１の操作領域から前記第１の突起部までの距離と前記第２の操作領域から前記第２の突起部までの距離とは略等しく、
前記第１の突起部から前記第１のスイッチの押下面までの距離と前記第２の突起部から前記第２のスイッチの押下面までの距離とは略等しいことを特徴とする請求項２に記載のスイッチ装置。
【請求項４】
前記アクチュエータは、前記アクチュエータ部の長手方向に垂直方向に延びる円柱部を有し、
前記第１のスイッチ、前記第２のスイッチ、前記アクチュエータを覆う筐体を有し、
前記筐体の内側には、前記円柱部を回転可能に支持する支持部を有し、
前記支持部により、前記アクチュエータの前記長手方向における移動が制限されていることを特徴とする請求項１から３のいずれかに記載のスイッチ装置。
【請求項５】
前記第１の突起部及び前記第２の突起部は、複数設けられており、
対となる前記第１の突起部及び前記第２の突起部は、前記支持部の両側に各々設けられていることを特徴とする請求項４に記載のスイッチ装置。
【請求項６】
前記円柱部は、前記第１のスイッチと前記第２のスイッチとの間に対応する位置に設けられており、
前記第１の突起部及び前記第２の突起部は、前記第１のスイッチと前記第２のスイッチとの間に対応する位置に設けられていることを特徴とする請求項４または５に記載のスイッチ装置。
【請求項７】
前記第１の突起部の先端、及び、前記第２の突起部の先端は、曲面により形成されていることを特徴とする請求項１から６のいずれかに記載のスイッチ装置。
【請求項８】
前記第１の突起部及び前記第２の突起部は、前記筐体の一部として、前記筐体の内側に設けられていることを特徴とする請求項４に記載のスイッチ装置。
【請求項９】
前記第１のスイッチ及び前記第２のスイッチは、それぞれ複数設けられており、
前記第１のスイッチは前記アクチュエータ部の長手方向において、前記第２のスイッチより前記操作部の近くに配置されていることを特徴とする請求項４に記載のスイッチ装置。
【請求項１０】
第１のスイッチと、
第２のスイッチと、
前記第１のスイッチ及び前記第２のスイッチの上に設けられたアクチュエータ部と、前記アクチュエータ部の端部に設けられた操作部と、を有するアクチュエータと、
前記第１のスイッチ、前記第２のスイッチ、前記アクチュエータを覆う筐体と、
を有し、
前記アクチュエータには、前記アクチュエータ部の前記第１のスイッチ及び前記第２のスイッチと接触している面とは反対の面に第１の突起部及び第２の突起部が設けられており、
前記第１の突起部の先端及び前記第２の突起部の先端は、前記筐体の内側の面と接触しており、
前記操作部を引く操作をした際には、前記アクチュエータは、前記第１の突起部の先端を支点にして傾倒して、前記第１のスイッチを押下し、
前記操作部を押す操作をした際には、前記アクチュエータは、前記第２の突起部の先端を支点にして傾倒して、前記第２のスイッチを押下することを特徴とするスイッチ装置。
【発明の詳細な説明】
【技術分野】
【０００１】
本発明は、スイッチ装置に関するものである。
【背景技術】
【０００２】
スイッチ装置として、例えば、自動車のパワーウインドウスイッチのように、操作部を押したり引いたりして操作することにより窓を開閉するシーソースイッチ等と呼ばれる揺動スイッチがある。このようなスイッチ装置は、操作部を押すことにより押下されるスイッチと、操作部を引くことにより押下されるスイッチの２つのスイッチが設けられている。
【先行技術文献】
【特許文献】
【０００３】
【特許文献１】特開２００６−２２８５２４号公報
【発明の概要】
【発明が解決しようとする課題】
【０００４】
上記のようなスイッチ装置では、操作部を押す操作をする場合と引く操作をする場合において、加重が加えられる位置が若干異なることから、操作部を押す操作と引く操作の際に必要とされる加重が不均一となるため、操作の際に違和感があり、操作感触が悪化する。
【０００５】
このため、操作部を押す操作により押下されるスイッチと引く操作により押下されるスイッチとを有するスイッチ装置において、操作部を押す操作と引く操作をする際に必要とされる加重が均一となるスイッチ装置が求められている。
【課題を解決するための手段】
【０００６】
本実施の形態の一観点によれば、上方から押下されることで動作する第１のスイッチと、上方から押下されることで動作する第２のスイッチと、前記第１のスイッチ及び前記第２のスイッチの上方であって、前記第１のスイッチ及び前記第２のスイッチの双方に跨るように少なくとも一辺が長く形成されるとともにそれぞれに接触するように配置された板状のアクチュエータ部と、前記アクチュエータ部の長手方向の端部に設けられた操作部と、を有するアクチュエータと、前記アクチュエータ部の前記第１のスイッチ及び前記第２のスイッチと接触している面とは反対の面と先端が接触している第１の突起部及び第２の突起部と、を有し、前記第１の突起部は前記アクチュエータ部の長手方向において、前記第２の突起部より前記操作部の近くに配置され、前記第１の突起部の先端及び前記第２の突起部の先端は、前記操作部を引く操作をした際には、前記アクチュエータは、前記第１の突起部の先端と接触している部分を支点にして傾倒して、前記第１のスイッチを押下し、前記操作部を押す操作をした際には、前記アクチュエータは、前記第２の突起部の先端と接触している部分を支点にして傾倒して、前記第２のスイッチを押下することを特徴とする。
【発明の効果】
【０００７】
開示のスイッチ装置によれば、操作部を押す操作と引く操作をする際に必要とされる加重を均一にすることができる。
【図面の簡単な説明】
【０００８】
【図１】従来のスイッチ装置の説明図（１）
【図２】従来のスイッチ装置の説明図（２）
【図３】第１の実施の形態におけるスイッチ装置の斜視図
【図４】第１の実施の形態におけるスイッチ装置の上面図
【図５】第１の実施の形態におけるスイッチ装置の分解斜視図
【図６】第１の実施の形態におけるスイッチ装置のアクチュエータの斜視図
【図７】第１の実施の形態におけるスイッチ装置のアクチュエータの上面図
【図８】第１の実施の形態におけるスイッチ装置のアクチュエータの側面図
【図９】第１の実施の形態におけるスイッチ装置の上側筐体部の斜視図
【図１０】第１の実施の形態におけるスイッチ装置の断面図（１）
【図１１】第１の実施の形態におけるスイッチ装置の断面図（２）
【図１２】第１の実施の形態におけるスイッチ装置の動作の説明図（１）
【図１３】第１の実施の形態におけるスイッチ装置の動作の説明図（２）
【図１４】第１の実施の形態におけるスイッチ装置の動作の説明図（３）
【図１５】第１の実施の形態におけるスイッチ装置の動作の説明図（４）
【図１６】第２の実施の形態におけるスイッチ装置の断面図
【発明を実施するための形態】
【０００９】
発明を実施するための形態について、以下に説明する。尚、複数の実施形態において共通する部材については、同一の符号を付して説明を省略する。また、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。また、本願において上とは、原則としてＺ１方向側を意味するものとする。また、便宜上、Ｘ１−Ｘ２方向を長手方向と呼称することがある。また、便宜上、Ｙ１−Ｙ２方向を垂直方向と記載する場合がある。
【００１０】
〔従来のスイッチ装置〕
最初に、図１及び図２に示される従来の回動スイッチについて説明する。このスイッチ装置は、２つのラバードームスイッチ、即ち、第１のラバードームスイッチ９１１及び第２のラバードームスイッチ９１２と、回動軸９３０を中心に回動するアクチュエータ９２０とを有している。アクチュエータ９２０のＸ２側には、操作部９４０が設けられている。
【００１１】
操作部９４０には、操作者からの２種類の入力操作方法に対応して第１の操作領域９４１及び第２の操作領域９４２が設けられている。第１の操作領域９４１と第２の操作領域９４２とは、それぞれアクチュエータ９２０の回動軸９３０までの距離が異なった位置に配置されている。
【００１２】
アクチュエータ９２０は、回動軸９３０が、Ｘ軸において第１のラバードームスイッチ９１１と第２のラバードームスイッチ９１２との間に位置するように設置されており、回動軸９３０よりもＸ１側には第１のラバードームスイッチ９１１が設けられており、回動軸９３０よりもＸ２側には第２のラバードームスイッチ９１２が設けられている。
【００１３】
このスイッチ装置は、図１に示すように、アクチュエータ９２０の操作部９４０のＺ１側端部に形成された第１の操作領域９４１をＺ２側からＺ１側に向けて破線矢印Ａに示すようにやや斜め方向に、指等によって引くことにより、アクチュエータ９２０を回動軸９３０を中心に反時計回りに回動させることができる。このように、アクチュエータ９２０を回動軸９３０を中心に反時計回りに回動させることにより、アクチュエータ９２０の回動軸９３０よりもＸ１側の第１の押下領域９２１により、第１のラバードームスイッチ９１１を押下して、第１のラバードームスイッチ９１１をオンにすることができる。
【００１４】
また、図２に示すように、アクチュエータ９２０の操作部９４０のＺ１側端部に形成された第２の操作領域９４２をＺ１側からＺ２側に向けて破線矢印Ｂに示すようにやや斜め方向に、指等によって押すことにより、アクチュエータ９２０を回動軸９３０を中心に時計回りに回動させることができる。このように、アクチュエータ９２０を回動軸９３０を中心に時計回りに回動させることにより、アクチュエータ９２０の回動軸９３０よりもＸ２側の第２の押下領域９２２により、第２のラバードームスイッチ９１２を押下して、第２のラバードームスイッチ９１２をオンにすることができる。
【００１５】
以上のように、このスイッチ装置の操作部９４０の第１の操作領域９４１を引く操作や、第２の操作領域９４２を押す操作により、第１のラバードームスイッチ９１１をオンにしたり、第２のラバードームスイッチ９１２をオンにしたりすることができる。
【００１６】
ところで、図１及び図２に示されるスイッチ装置では、回動軸９３０の中心から操作部９４０を引く際に指等が接触する第１の操作領域９４１までの距離Ｌ１は、回動軸９３０の中心から操作部９４０を押す際に指等が接触する第２の操作領域９４２までの距離Ｌ２よりも短く設計されている。このように、距離Ｌ１と距離Ｌ２が異なると、操作部９４０を操作する際に加える力、即ち、操作部９４０を押す際に必要とされる力と、操作部９４０を引く際に必要とされる力が異なり、操作する際に違和感を感じ、操作感触がよくない。尚、そのような違和感は、通常、第１のラバードームスイッチ９１１から回動軸９３０までの距離、及び、第２のラバードームスイッチ９１２から回動軸９３０までの距離を調節することにより解消される。しかしながら、スイッチ装置に寸法的な制約が課せられる場合、第１のラバードームスイッチ９１１の配置、または、第２のラバードームスイッチ９１２の配置を自由に調節できないことがある。
【００１７】
即ち、アクチュエータ９２０の回動軸９３０の中心から、第１のラバードームスイッチ９１１及び第２のラバードームスイッチ９１２までの距離が等しくなるように配置した場合、距離Ｌ１よりも距離Ｌ２は短いため、操作部９４０の第１の操作領域９４１を引く際に必要とされる力よりも、操作部９４０の第２の操作領域９４２を押す際に必要とされる力が強くなるため、操作をする際に違和感があり、操作感触がよくない。
【００１８】
このため、アクチュエータ９２０の回動軸９３０の中心から第１のラバードームスイッチ９１１までの距離と、アクチュエータ９２０の回動軸９３０の中心から第２のラバードームスイッチ９１２までの距離とが異なるように配置をする方法が考えられる。しかしながら、この場合、アクチュエータ９２０の回動軸９３０からそれぞれのラバードームスイッチの距離が離れれば離れる程、ラバードームスイッチのストローク長を長くする必要がある。このように、操作部９４０の第１の操作領域９４１を引く際のストローク長と、操作部９４０の第２の操作領域９４２を押す際のストローク長とが異なると、操作をする際に違和感があり、操作感触がよくない。
【００１９】
このため、第１のラバードームスイッチと第２のラバードームスイッチを有するものであって、操作部を押す操作や引く操作の際に必要とされる加重及びラバードームスイッチが駆動する際に必要とされるストローク長が均一であるものが求められている。
【００２０】
〔第１の実施の形態〕
（スイッチ装置）
次に、本実施の形態におけるスイッチ装置について、図３〜図５に基づき説明する。本実施の形態におけるスイッチ装置は、下側筐体部１０、スイッチ基板部２０、アクチュエータ３０、上側筐体部５０等を有しており、下側筐体部１０と上側筐体部５０とにより形成される筐体の内部に、スイッチ基板部２０及びアクチュエータ３０の一部が収納されている。図３は、本実施の形態におけるスイッチ装置の斜視図であり、図４は上面図であり、図５は分解斜視図である。
【００２１】
スイッチ基板部２０は、基板２０ａとラバードーム部材２０ｂとにより形成されており、第１のラバードームスイッチ（第１のスイッチ）２１及び第２のラバードームスイッチ（第２のスイッチ）２２がＸ１−Ｘ２方向において同じ位置に、Ｙ１−Ｙ２方向に並んで複数設けられている。尚、本実施の形態においては、１つの第１のラバードームスイッチ２１と１つの第２のラバードームスイッチ２２とが対となっており、第１のラバードームスイッチ２１がＸ１側、第２のラバードームスイッチ２２がＸ２側となるように形成されている。
【００２２】
次に、図６〜図８に基づきアクチュエータ３０について説明する。図６はアクチュエータ３０の斜視図であり、図７は上面図であり、図８は側面図である。
【００２３】
アクチュエータ３０は、Ｘ１−Ｘ２方向が長手方向となる２本のアクチュエータ部３１と、２本のアクチュエータ部３１の間に設けられている２本のアクチュエータ部３１を接続している円柱部３２と、２本のアクチュエータ部３１のＸ２側の端部を接続している支持部３３と、支持部３３のＺ１側の端に設けられた操作部４０とを有している。操作部４０においては、Ｘ２側の端部のＺ２側が、アクチュエータ３０を引く際に指等が接触する第１の操作領域４１となり、Ｘ１側がアクチュエータ３０を押す際に指等が接触する第２の操作領域４２となる。円柱部３２は、アクチュエータ部３１の長手方向と垂直方向となるＹ１−Ｙ２方向が母線となる円柱状に形成されている。
【００２４】
また、図９に示されるように、上側筐体部５０の内側、即ち、Ｚ２側には、アクチュエータ３０の円柱部３２を支持する開口部５１ａを有する支持部５１が設けられており、支持部５１のＹ１−Ｙ２方向の両側には、それぞれ第１の突起部５２及び第２の突起部５３が設けられている。第１の突起部５２及び第２の突起部５３は、第１の突起部５２がＸ２側、第２の突起部５３がＸ１側となるように形成されており、第１の突起部５２の先端部５２ａ及び第２の突起部５３の先端部５３ａは、曲率半径が小さい曲面となっている。従って、アクチュエータ３０の円柱部３２の曲面の曲率半径よりも、第１の突起部５２の先端部５２ａ及び第２の突起部５３の先端部５３ａの曲面の曲率半径が小さい。
【００２５】
本実施の形態においては、下側筐体部１０と上側筐体部５０とはねじ等により固定されており、このように固定された下側筐体部１０及び上側筐体部５０の内部に、スイッチ基板部２０及びアクチュエータ３０の一部が収容されている。図１０は、アクチュエータ３０の円柱部３２が設けられている部分（図４における一点鎖線４Ａ−４Ａ）で切断した切断面をＹ２方向側から見た断面図である。図１１は、上側筐体部５０において第１の突起部５２及び第２の突起部５３が設けられている部分（図４における一点鎖線４Ｂ−４Ｂ）で切断した切断面をＹ２方向側から見た断面図である。
【００２６】
図１０及び図１１に示されるように、本実施の形態におけるスイッチ装置の内部では、アクチュエータ３０の円柱部３２は、上側筐体部５０の支持部５１の開口部５１ａ内にて支持されており、アクチュエータ部３１のＺ１側の面となる一方の面３４は、上側筐体部５０の第１の突起部５２の先端部５２ａ及び第２の突起部５３の先端部５３ａと接触している。
【００２７】
本実施の形態においては、上側筐体部５０の支持部５１の開口部５１ａ内に、アクチュエータ３０の円柱部３２が支持されることにより、アクチュエータ３０は、Ｘ１−Ｘ２方向における移動が制限された状態であって、円柱部３２を中心に回動可能となっている。このため、アクチュエータ３０は、操作部４０に操作力が加えられたとき、円柱部３２を中心に回動しながら、全体としては支持部５１に規制されていない上下方向（矢印Ｅに示す方向、矢印Ｆに示す方向）に遷移しつつ傾倒可能になっている。
【００２８】
この状態においては、アクチュエータ部３１のＺ２側の面となる他方の面３５は、第１のラバードームスイッチ２１のＺ１側の端部である上端の押下面２１ａ及び第２のラバードームスイッチ２２のＺ１側の端部である上端の押下面２２ａと接触している。本実施の形態においては、アクチュエータ部３１の他方の面３５において、第１のラバードームスイッチ２１の押下面２１ａと接触している領域が第１の押下領域３６となり、第２のラバードームスイッチ２２の押下面２２ａと接触している領域が第２の押下領域３７となる。よって、アクチュエータ部３１の第１のラバードームスイッチ２１及び第２のラバードームスイッチ２２と接触している面とは反対の面に、第１の突起部５２の先端部５２ａ及び第２の突起部５３の先端部５３ａが接触している。
【００２９】
本実施の形態においては、Ｙ１方向またはＹ２方向から見た場合、アクチュエータ３０の円柱部３２は、第１のラバードームスイッチ２１と第２のラバードームスイッチ２２との間に対応する位置に設けられている。また、第１の突起部５２及び第２の突起部５３は、第１のラバードームスイッチ２１と第２のラバードームスイッチ２２との間に対応する位置に設けられている。また、第１の突起部５２の先端部５２ａは、支持部５１の開口部５１ａに対応する部分に位置している。尚、図１１及び後述する図１３、図１５においては、透過した円柱部３２及び支持部５１の位置を破線で示す。また、アクチュエータ部３１の長手方向とは、図１０及び図１１に示されるように、操作部４０に操作力が加えられていない状態において、Ｘ１−Ｘ２方向となる方向である。
【００３０】
よって、本実施の形態のスイッチ装置は、上方から押下されることで動作する第１のラバードームスイッチ２１と、上方から押下されることで動作する第２のラバードームスイッチ２２と、を有する。また、第１のラバードームスイッチ２１及び第２のラバードームスイッチ２２の上方であって、第１のラバードームスイッチ２１及び第２のラバードームスイッチ２２の双方に跨るように少なくとも一辺が長く形成されるとともにそれぞれに接触するように配置された板状のアクチュエータ部３１と、アクチュエータ部３１の端部に設けられた操作部４０と、を有するアクチュエータ３０と、を有する。アクチュエータ部３１の第１のラバードームスイッチ２１及び第２のラバードームスイッチ２２と接触している面とは反対の面と先端部５２ａ、５３ａが接触している第１の突起部５２及び第２の突起部５３と、を有する。第１の突起部５２はアクチュエータ部３１の長手方向において、第２の突起部５３より操作部４０の近くに配置される。第１の突起部５２の先端部５２ａ及び第２の突起部５３の先端部５３ａは、操作部４０を引く操作をした際には、アクチュエータ３０は、第１の突起部５２の先端部５２ａと接触している部分を支点にして傾倒して、第１のラバードームスイッチ２１を押下する。また、操作部４０を押す操作をした際には、アクチュエータ３０は、第２の突起部５３の先端部５３ａと接触している部分を支点にして傾倒して、第２のラバードームスイッチ２２を押下する。
【００３１】
また、操作部４０は、操作部４０を引く操作を受けつける第１の操作領域４１と、操作部４０を押す操作を受け付ける第２の操作領域４２と、を有する。
【００３２】
また、第１の操作領域４１から第１の突起部５２までの距離と第２の操作領域４２から第２の突起部５３までの距離とは略等しく、第１の突起部５２から第１のラバードームスイッチ２１の押下面２１ａまでの距離と第２の突起部５３から第２のラバードームスイッチ２２の押下面２２ａまでの距離とは略等しい。
【００３３】
また、アクチュエータ３０は、アクチュエータ部３１の垂直方向に延びる円柱部３２を有し、第１のラバードームスイッチ２１、第２のラバードームスイッチ２２、アクチュエータ３０を覆う下側筐体部１０、上側筐体部５０からなる筐体を有し、上側筐体部５０の内側には、円柱部３２を回転可能に支持する支持部５１を有し、支持部５１により、アクチュエータ３０の長手方向における移動が制限されている。
【００３４】
また、第１の突起部５２及び第２の突起部５３は、複数設けられており、対となる第１の突起部５２及び第２の突起部５３は、支持部５１の両側に各々設けられている。
【００３５】
また、円柱部３２は、第１のラバードームスイッチ２１と第２のラバードームスイッチ２２との間に対応する位置に設けられており、第１の突起部５２及び第２の突起部５３は、第１のラバードームスイッチ２１と第２のラバードームスイッチ２２との間に対応する位置に設けられている。
【００３６】
また、第１の突起部５２及び第２の突起部５３は、筐体の一部として、筐体の内側に設けられている。
【００３７】
また、第１のラバードームスイッチ２１及び第２のラバードームスイッチ２２は、第１のラバードームスイッチ２１はアクチュエータ部３１の長手方向において、第２のラバードームスイッチ２２より操作部４０の近くに配置されている。
【００３８】
（スイッチ装置の操作）
次に、本実施の形態におけるスイッチ装置の操作について説明する。尚、アクチュエータ３０の円柱部３２は、上側筐体部５０の支持部５１の開口部５１ａの内部にて支持されているため、アクチュエータ３０の円柱部３２は、支持部５１の開口部５１ａ内で回動することはできるが、Ｘ１−Ｘ２方向の移動は制限されている。
【００３９】
本実施の形態におけるスイッチ装置は、図１２及び図１３に示されるように、アクチュエータ３０の操作部４０の第１の操作領域４１をＺ２側からＺ１側に向けて破線矢印Ｃに示すようにやや斜め方向に、指等によって引くことにより、アクチュエータ３０は、一方の面３４の第１の突起部５２の先端部５２ａと接触している部分を支点にして反時計回りに傾倒する。このように、アクチュエータ３０が第１の突起部５２の先端部５２ａと接触している部分を支点にして反時計回りに傾倒することにより、アクチュエータ３０の第１の押下領域３６により、第１のラバードームスイッチ２１の押下面２１ａが押され、第１のラバードームスイッチ２１のラバー部分が変形し、第１のラバードームスイッチ２１がオンになる。尚、図１２は、図１０の断面に対応する断面図であり、図１３は、図１１の断面に対応する断面図である。
【００４０】
この場合、図１３に示されるように、支点となる第１の突起部５２の先端部５２ａから、アクチュエータ３０の操作部４０の第１の操作領域４１までの距離Ｌ１１は約１５ｍｍである。また、支点となる第１の突起部５２の先端部５２ａから、第１のラバードームスイッチ２１の押下面２１ａの中央までの距離Ｌ２１は約６ｍｍである。
【００４１】
また、図１４及び図１５に示されるように、アクチュエータ３０の操作部４０の第２の操作領域４２をＺ１側からＺ２側に向けて破線矢印Ｄに示すようにやや斜め方向に、指等によって押すことにより、アクチュエータ３０は、アクチュエータ３０の一方の面３４の第２の突起部５３の先端部５３ａと接触している部分を支点にして時計回りに傾倒する。このように、アクチュエータ３０が第２の突起部５３の先端部５３ａと接触している部分を支点にして時計回りに傾倒することにより、アクチュエータ３０の第２の押下領域３７により、第２のラバードームスイッチ２２の押下面２２ａが押され、第２のラバードームスイッチ２２のラバー部分が変形し、第２のラバードームスイッチ２２がオンになる。尚、図１４は、図１０の断面に対応する断面図であり、図１５は、図１１の断面に対応する断面図である。
【００４２】
この場合において、支点となる第２の突起部５３の先端部５３ａから、アクチュエータ３０の操作部４０の第２の操作領域４２までの距離Ｌ１２は約１５ｍｍである。また、支点となる第２の突起部５３の先端部５３ａから、第２のラバードームスイッチ２２の押下面２２ａの中央までの距離Ｌ２２は約６ｍｍである。
【００４３】
従って、本実施の形態におけるスイッチ装置においては、アクチュエータ３０の操作部４０を引く際の第１の操作領域４１の位置と、押す際の第２の操作領域４２の位置は異なっているが、操作部４０の第１の操作領域４１を引く際の支点となる第１の突起部５２の先端部５２ａから、アクチュエータ３０の操作部４０の第１の操作領域４１までの距離Ｌ１１は約１５ｍｍであり、操作部４０の第２の操作領域４２を押す際の支点となる第２の突起部５３の先端部５３ａから、アクチュエータ３０の操作部４０の第２の操作領域４２までの距離Ｌ１２は約１５ｍｍであり、距離Ｌ１１と距離Ｌ１２は略等しい。よって、アクチュエータ３０の操作部４０を引く際に必要とされる第１の操作領域４１に加えられる力と、押す際に必要とされる第２の操作領域４２に加えられる力は略等しい。
【００４４】
また、支点となる第１の突起部５２の先端部５２ａから、第１のラバードームスイッチ２１の押下面２１ａの中央までの距離Ｌ２１は約６ｍｍであり、支点となる第２の突起部５３の先端部５３ａから、第２のラバードームスイッチ２２の押下面２２ａの中央までの距離Ｌ２２は約６ｍｍであり、距離Ｌ２１と距離Ｌ２２とは略等しい。つまり、第１の操作領域４１から第１の突起部５２までの距離と第２の操作領域４２から第２の突起部５３までの距離とは略等しく、第１の突起部５２から第１のラバードームスイッチ２１の押下面２１ａまでの距離と第２の突起部５３から第２のラバードームスイッチ２２の押下面２２ａまでの距離とは略等しい。
【００４５】
よって、操作部４０を押すことによる第１のラバードームスイッチ２１に加わる加重及びストロークと、操作部４０を引くことによる第２のラバードームスイッチ２２に加わる加重及びストロークは略等しい。従って、第１のラバードームスイッチ２１と第２のラバードームスイッチ２２が同じラバードームスイッチにより形成されていても、引いたり押したりする力やストロークを略同じにすることができ、操作の際に違和感等がなく、良好な操作感触を得ることができる。
【００４６】
尚、上述したように、第１の操作領域４１から第１の突起部５２までの距離と第２の操作領域４２から第２の突起部５３までの距離とは略等しく、第１の突起部５２から第１のラバードームスイッチ２１の押下面２１ａまでの距離と第２の突起部５３から第２のラバードームスイッチ２２の押下面２２ａまでの距離とは略等しい。
【００４７】
また、上記における説明では、第１のラバードームスイッチ２１と第２のラバードームスイッチ２２の場合について説明したが、第１のラバードームスイッチ２１と第２のラバードームスイッチ２２に代えて、２つのタクトスイッチ等を用いてもよく、この場合も同様の効果を得ることができる。
【００４８】
〔第２の実施の形態〕
次に、第２の実施の形態について、図１６に基づき説明する。本実施の形態におけるスイッチ装置は、図１６に示されるように、アクチュエータ１３０のアクチュエータ部３１の一方の面３４に第１の突起部１３２及び第２の突起部１３３を設けた構造のものである。本実施の形態においては、アクチュエータ１３０の第１の突起部１３２の先端１３２ａ及び第２の突起部１３３の先端１３３ａは、上側筐体部１５０の内側の面１５１と接触している。
【００４９】
本実施の形態において、アクチュエータ１３０の操作部４０の第１の操作領域４１を破線矢印Ｃに示す方向に指等により引くと、アクチュエータ１３０は、第１の突起部１３２の先端１３２ａを支点にして反時計回りに傾倒し、アクチュエータ部３１の他方の面３５の第１の押下領域３６が、第１のラバードームスイッチ２１の押下面２１ａを押し、第１のラバードームスイッチ２１をオンにすることができる。
【００５０】
また、アクチュエータ１３０の操作部４０の第２の操作領域４２を破線矢印Ｄに示す方向に指等により押すと、アクチュエータ１３０は、第２の突起部１３３の先端１３３ａを支点にして時計回りに傾倒し、アクチュエータ部３１の他方の面３５の第２の押下領域３７が、第２のラバードームスイッチ２２の押下面２２ａを押し、第２のラバードームスイッチ２２をオンにする。
【００５１】
本実施の形態においても、アクチュエータ１３０の第１の突起部１３２の先端１３２ａから操作部４０の第１の操作領域４１までの距離と、アクチュエータ１３０の第２の突起部１３３の先端１３３ａから操作部４０の第２の操作領域４２までの距離が略等しい。よって、アクチュエータ１３０の操作部４０を操作する際の力、即ち、操作部４０の第１の操作領域４１を引く力と、第２の操作領域４２を押す力を均一にすることができる。
【００５２】
また、アクチュエータ１３０の第１の突起部１３２の先端１３２ａから第１のラバードームスイッチ２１の押下面２１ａの中央までの距離と、第２の突起部１３３の先端１３３ａから第２のラバードームスイッチ２２の押下面２２ａの中央までの距離が略等しい。よって、操作部４０を押すことによる第１のラバードームスイッチ２１に加わる加重及びストロークと、操作部４０を引くことによる第２のラバードームスイッチ２２に加わる加重及びストロークは略等しくすることができる。従って、第１のラバードームスイッチ２１と第２のラバードームスイッチ２２が同じラバードームスイッチにより形成されていても、引いたり押したりする力やストロークを略同じにすることができ、操作の際に違和感等がなく、良好な操作感触を得ることができる。
【００５３】
よって、本実施の形態におけるスイッチ装置は、第１のラバードームスイッチ２１と、第２のラバードームスイッチ２２と、第１のラバードームスイッチ２１及び第２のラバードームスイッチ２２の上に設けられたアクチュエータ部３１と、アクチュエータ部３１の端部に設けられた操作部４０と、を有するアクチュエータ１３０と、第１のラバードームスイッチ２１、第２のラバードームスイッチ２２、アクチュエータ１３０を覆う下側筐体部１０、上側筐体部１５０からなる筐体と、を有し、アクチュエータ１３０には、アクチュエータ部３１の第１のラバードームスイッチ２１及び第２のラバードームスイッチ２２と接触している面とは反対の面に第１の突起部１３２及び第２の突起部１３３が設けられており、第１の突起部１３２の先端１３２ａ及び第２の突起部１３３の先端１３３ａは、筐体の内側の面と接触しており、操作部４０を引く操作をした際には、アクチュエータ１３０は、第１の突起部１３２の先端１３２ａを支点にして傾倒して、第１のラバードームスイッチ２１を押下し、操作部４０を押す操作をした際には、アクチュエータ１３０は、第２の突起部１３３の先端１３３ａを支点にして傾倒して、第２のラバードームスイッチ２２を押下する。
【００５４】
尚、上記以外の内容については、第１の実施の形態と同様である。
【００５５】
以上、実施の形態について詳述したが、特定の実施形態に限定されるものではなく、特許請求の範囲に記載された範囲内において、種々の変形及び変更が可能である。
【符号の説明】
【００５６】
１０        下側筐体部
２０        スイッチ基板部
２１        第１のラバードームスイッチ
２１ａ      押下面
２２        第２のラバードームスイッチ
２２ａ      押下面
３０        アクチュエータ
３１        アクチュエータ部
３２        円柱部
３３        支持部
３４        一方の面
３５        他方の面
３６        第１の押下領域
３７        第２の押下領域
４０        操作部
４１        第１の操作領域
４２        第２の操作領域
５０        上側筐体部
５１        支持部
５１ａ      開口部
５２        第１の突起部
５２ａ      先端部
５３        第２の突起部
５３ａ      先端部
【図１】
2020202084.tif 000003
【図２】
2020202084.tif 000004
【図３】
2020202084.tif 000005
【図４】
2020202084.tif 000006
【図５】
2020202084.tif 000007
【図６】
2020202084.tif 000008
【図７】
2020202084.tif 000009
【図８】
2020202084.tif 000010
【図９】
2020202084.tif 000011
【図１０】
2020202084.tif 000012
【図１１】
2020202084.tif 000013
【図１２】
2020202084.tif 000014
【図１３】
2020202084.tif 000015
【図１４】
2020202084.tif 000016
【図１５】
2020202084.tif 000017
【図１６】
2020202084.tif 000018